(57)【要約】【課題】多数の釣具を迅速に洗浄することができる釣り用収納体を提供することを課題とする。【解決手段】釣り用収納体は、上部に収納口１Ｋが開口される第１収納部１Ａと、前記収納口１Ｋを開閉自在に覆うための第１蓋体１Ｂとからなる第１収納体１と、前記第１収納部１Ａ内に収納可能な第２収納体２とを備え、該第２収納体２の少なくとも一部分を通水性を有するメッシュ状の部材から構成した。【選択図】図３
2008173073.tif 000002
【特許請求の範囲】
【請求項１】
上部に収納口が開口される第１収納部と、前記収納口を開閉自在に覆うための第１蓋体とからなる第１収納体と、前記第１収納部内に収納可能な第２収納体とを備え、該第２収納体の少なくとも一部分を通水性を有するメッシュ状の部材から構成したことを特徴とする釣り用収納体。
【請求項２】
前記第２収納体の外形寸法を、前記第１収納部内の空間とほぼ同一寸法に構成するとともに、該第2収納体の大部分を前記メッシュ状部材から構成し、該メッシュ状部材が保形性を有する材料でなる請求項１記載の釣り用収納体。
【請求項３】
前記第２収納体が、平面視略矩形状でなり、底部と該底部の外周縁から上方へ立ち上げられた４つの側部とを備えた箱型状の第２収納部と、該第２収納体の収納口を開閉自在に覆うための第２蓋体とから構成され、該第２収納部及び第２蓋体が前記メッシュ状部材からなり、前記底部の外周縁及び第２蓋体の外周縁に硬質材料でなる環状の補強用線材を備えたことを特徴とする請求項２記載の釣り用収納体。
【請求項４】
前記第１収納部及び前記第１蓋体が、防水性を有する材料でなり、該第１収納部が、平面視略矩形状でなり、底部と該底部の外周縁から上方へ立ち上げられた４つの側部とを備えた箱型状から構成され、前記底部が、滑り止め部材から構成されてなる請求項１記載の釣り用収納体。
【請求項５】
前記滑り止め部材が、前記底部から特定の側部の下部まで立ち上げられた延出部を備えてなる請求項４記載の釣り用収納体。
【請求項６】
前記第１蓋体が、透明部材から構成してなる請求項１〜５のいずれかに記載の釣り用収納体。
【請求項７】
前記第１収納部を構成する４つの側部のうちの特定の１つの側部の上端に、前記第１蓋体の外周縁を構成する４辺のうちの一辺を連結し、前記第１収納部と前記第１蓋体との間に設けたスライドファスナーにて該第１収納部の収納口を開閉自在に構成し、前記特定の第１収納部用側部に取っ手を備えて、前記第１収納部を構成してなり、前記第２収納部を構成する４つの側部のうちの特定の１つの側部の上端に、前記第２蓋体の外周縁を構成する４辺のうちの一辺を連結し、前記第２収納部と前記第２蓋体との間に設けたスライドファスナーにて該第２収納部の収納口を開閉自在に構成し、前記特定の第２収納部用側部に取っ手を備えて、前記第２収納部を構成してなり、前記第１収納体に前記第２収納体を収納した状態において、該第１収納体の側部のうちの第１収納部用取っ手を備えた特定の第１収納部用側部と対向位置する反対側の第１収納部用側部に、該第２収納体の側部のうちの第２収納部用取っ手を備えた特定の第２収納部用側部が位置することを特徴とする請求項３〜６のいずれかに記載の釣り用収納体。
【発明の詳細な説明】
【技術分野】
【０００１】
本発明は、磯や波止等の釣り場に釣具を収容して持って行くために使用する釣り用収納体に関する。
【背景技術】
【０００２】
上記釣り用収納体に、挟み、トング（魚等を掴むときに使用するもの）、錘等の金属系の小物（釣具）を入れて釣り場に持って行き、釣り用収納体から釣具を取り出して使用した後、再度釣り用収納体に入れて持って帰るようにしている。
特に、磯場等においては、竿受けを固定するピトンシャフトを磯に打ち込んで使用し、使用後においてピトンシャフトを抜き取ることによりそれの表面に土砂が付着してしまうことがあり、この土砂が付着したピトンシャフトと別の釣具とを分けて収納することができる釣具収納体が提案されている（例えば、特許文献１参照）。
【特許文献１】特開２０００−２１７４８６号公報（図１及び図２参照）
【発明の開示】
【発明が解決しようとする課題】
【０００３】
前記特許文献１では、土砂の付いた汚れた釣具と汚れていない釣具とを分けて収納することができるものの、海水に浸かった釣具等も持ち帰ってから、錆付かないように真水で海水を洗い落とさなければならないことになり、前記特許文献１の釣具収納体では、それら多数の釣具を１個ずつ取り出してきて、一々洗浄しなければならないことから、釣具が多ければ多いほどその洗浄作業が面倒なものになる不都合があった。
【０００４】
本発明が前述の状況に鑑み、解決しようとするところは、多数の釣具を迅速に洗浄することができる釣り用収納体を提供することを課題とする。
【課題を解決するための手段】
【０００５】
本発明の釣り用収納体は、前述の課題解決のために、上部に収納口が開口される第１収納部と、前記収納口を開閉自在に覆うための第１蓋体とからなる第１収納体と、前記第１収納部内に収納可能な第２収納体とを備え、該第２収納体の少なくとも一部分を通水性を有するメッシュ状の部材から構成したことを特徴としている。
釣り場で使用した釣具を第２収納体に入れてから、メッシュ状の部材からなる第１収納部に収納する構成にすることによって、第２収納体を第１収納部に入れたまま、又は第２収納体を第１収納部から取り出して、汚れた釣具や海水に浸かった釣具にメッシュ状部材を通して水や洗浄液をかける、又は、第１収納部に第２収納体を入れた第１収納体、又は第１収納部から取り出した第２収納体を、水や洗浄液が入った容器の中に浸けることで、メッシュ状の部材を通して第２収納体の内部に水や洗浄液を供給して、第２収納体に収納された多数の釣具に付着した汚れや海水を一挙に落とすことができる。洗浄後は、そのまま放置しておくだけでメッシュ状の部材を通して余分な水や洗浄液を排出することができるだけでなく、空気を取り入れて乾燥させることができる。
【０００６】
前記第２収納体の外形寸法を、前記第１収納部内の空間とほぼ同一寸法に構成するとともに、該第２収納体の大部分を前記メッシュ状部材から構成し、該メッシュ状部材が保形性を有する構成のある材料で構成されてもよい。
【０００７】
前記第２収納体が、平面視略矩形状でなり、底部と該底部の外周縁から上方へ立ち上げられた４つの側部とを備えた箱型状の第２収納部と、該第２収納体の収納口を開閉自在に覆うための第２蓋体とから構成され、該第２収納部及び第２蓋体が前記メッシュ状部材からなり、前記底部の外周縁及び第２蓋体の外周縁に硬質材料でなる環状の補強用線材を備えてもよい。
【０００８】
前記第１収納部及び前記第１蓋体が、防水性を有する材料でなり、該第１収納部が、平面視略矩形状でなり、底部と該底部の外周縁から上方へ立ち上げられた４つの側部とを備えた箱型状から構成され、前記底部が、滑り止め部材から構成されてもよい。
【０００９】
前記滑り止め部材が、前記底部から特定の側部の下部まで立ち上げられた延出部を備えてもよい。
【００１０】
前記第１蓋体を、透明部材から構成してもよい。
【００１１】
前記第１収納部を構成する４つの側部のうちの特定の１つの側部の上端に、前記第１蓋体の外周縁を構成する４辺のうちの一辺を連結し、前記第１収納部と前記第１蓋体との間に設けたスライドファスナーにて該第１収納部の収納口を開閉自在に構成し、前記特定の第１収納部用側部に取っ手を備えて、前記第１収納部を構成してなり、前記第２収納部を構成する４つの側部のうちの特定の１つの側部の上端に、前記第２蓋体の外周縁を構成する４辺のうちの一辺を連結し、前記第２収納部と前記第２蓋体との間に設けたスライドファスナーにて該第２収納部の収納口を開閉自在に構成し、前記特定の第２収納部用側部に取っ手を備えて、前記第２収納部を構成してなり、前記第１収納体に前記第２収納体を収納した状態において、該第１収納体の側部のうちの第１収納部用取っ手を備えた特定の第１収納部用側部と対向位置する反対側の第１収納部用側部に、該第２収納体の側部のうちの第２収納部用取っ手を備えた特定の第２収納部用側部が位置することを特徴としている。
【発明の効果】
【００１２】
釣り場で使用した釣具を、第２収納体に入れてから、メッシュ状の部材からなる第１収納部に収納することによって、メッシュ状の部材を通して、第２収納体の内部に水や洗浄液を供給して、多数の釣具に付着した汚れや海水を一挙に落とすことができ、釣具を１つずつ洗浄する場合に比べて、洗浄作業を容易迅速に行うことができる。更に、洗浄後は、そのまま放置しておくだけでメッシュ状の部材を通して余分な水や洗浄液を排出することができるだけでなく、空気を取り入れて乾燥させることができ、更に便利に使用することができる。
【００１３】
前記第２収納体の外形寸法を、前記第１収納部内の空間とほぼ同一寸法に構成するとともに、該第２収納体の大部分を前記メッシュ状部材から構成し、該メッシュ状部材が保形性を有する構成のある材料で構成することによって、第１収納体に対して隙間無く第２収納体を収納することができ、第１収納部内の収納空間を効率よく利用することができながらも、型崩れし難い保形性を有する第２収納体を第１収納体から迅速に取り出したり、収納することができる。
【００１４】
前記第２収納体が、平面視略矩形状でなり、底部と該底部の外周縁から上方へ立ち上げられた４つの側部とを備えた箱型状の第２収納部と、該第２収納体の収納口を開閉自在に覆うための第２蓋体とから構成され、該第２収納部及び第２蓋体が前記メッシュ状部材からなり、前記底部の外周縁及び第２蓋体の外周縁に硬質材料でなる環状の補強用線材を備えることによって、特に４つの角部での保形性を高めることができ、第１収納体に対して第２収納体を入れ易い利点がある。
【００１５】
前記第１収納部及び前記第１蓋体が、防水性を有する材料でなり、該第１収納部が、平面視略矩形状でなり、底部と該底部の外周縁から上方へ立ち上げられた４つの側部とを備えた箱型状から構成され、前記底部が、滑り止め部材から構成されている場合には、例えば磯等の傾斜面に第１収納部を置いたときでも、第１収納体が海に滑り落ちることを滑り止め部材にて防止することができるだけでなく、例え第１収納体が海に落ちたときでも、第１収納部及び前記第１蓋体が防水性を有する材料でなっているから、直ぐに第１収納体が海中に沈み込むことがなく、落ちた第１収納体を回収し易い利点もある。
【００１６】
前記滑り止め部材が、前記底部から特定の側部の下部まで立ち上げられた延出部を備えている場合には、滑り止め効果を側部の下部まで作用させることができ、第１収納体の使用姿勢に左右されることなく、滑り止め作用を確実に発揮させることができる。
【００１７】
前記第１蓋体を、透明部材から構成している場合には、第１蓋体を開けなくても内部を視認することができるだけでなく、第２収納体の内部もメッシュの孔を通して視認することができ、収納物を迅速に確認することができる。
【００１８】
前記第１収納体に前記第２収納体を収納した状態において、第１収納体の側部のうちの第１収納部用取っ手を備えた特定の第１収納部用側部と対向位置する反対側の第１収納部用側部に、該第２収納体の側部のうちの第２収納部用取っ手を備えた特定の第２収納部用側部が位置している場合には、第１収納体の第１蓋体を大きく開放状態にしなくても、第１蓋体の連結部に邪魔されることなく、第２収納体の取っ手を掴んで迅速に第２収納体を取り出したり、収納することができる。
【発明を実施するための最良の形態】
【００１９】
図１〜図３に、釣り用収納体を示している。この釣り用収納体は、直方体形状の第１収納体１と、この第１収納体１内に収納可能な直方体形状の第２収納体２とからなっている。図では、第１収納体１及び第２収納体２を平面視長方形のものを示しているが、正方形又は楕円形（長楕円形も含む）あるいは円形等、どのような形状でもよいが、長方形のものを用いると、図３に示す縦長状のピトンシャフトＳも収納することができ、特に磯釣り等に好適である。第１収納体１及び第２収納体２のみを示しているが、場合によっては、第２収納体２に収納可能な第３収納体を備えさせて実施することもできる。
【００２０】
前記釣り用収納体について詳述すれば、図３に示すように、上部に収納口１Ｋが開口される第１収納部１Ａと、前記収納口１Ｋを開閉自在に覆うための第１蓋体１Ｂとからなる第１収納体１と、前記第１収納部１Ａ内に収納可能となるように該第１収納部１Ａよりも一回り小さな寸法に構成された第２収納体２とを備え、該第２収納体２を後述するように通水性を有するメッシュ状の部材から構成している。
【００２１】
前記第２収納体２の外形寸法を、前記第１収納部１Ａ内の空間とほぼ同一寸法に構成するとともに、該第２収納体２の大部分をメッシュ状部材から構成し、該メッシュ状部材が保形性を有する構成のある材料で構成することによって、第１収納体１に対して隙間無く第２収納体２を収納することができ、第１収納部１Ａ内の収納空間を効率よく利用することができながらも、形を保持可能な第２収納体２を第１収納体１から迅速に取り出したり、収納することができるようになっている。
【００２２】
図３〜図５に示すように、前記第２収納体２が、平面視略矩形状でなり、底部２ａと該底部２ａの外周縁から上方へ立ち上げられた４つの側部２ｂ，２ｃ，２ｄ，２ｅとを備えた箱型状の第２収納部２Ａと、該第２収納体２の収納口２Ｋを開閉自在に覆うための第２蓋体２Ｂとから構成され、該第２収納部２Ａ及び第２蓋体２Ｂが前記メッシュ状部材からなり、前記底部２ａの外周縁及び第２蓋体２Ｂの外周縁のそれぞれに硬質材料でなる環状の補強用線材３（図４では第２蓋体２Ｂ側に備えさせたもののみを示している）を備えることによって、特に４つの角部での保形性を高めることができ、第１収納体１に対して第２収納体２を入れ易い利点があるが、補強用線材３，３を省略してもよい。前記補強用線材３は、硬質ポリウレタンや硬質ポリ塩化ビニル等の硬質合成樹脂により成型された（金属材料であってもよい）１本の丸棒状の部材からなり、図３に示す円筒状の連結部材３Ａを介して補強用線材３の両端を連結している。図５では、３つの側部２ｂ，２ｄ，２ｅを１枚のメッシュ状部材から構成し、残りの側部２ｃ及び底部２ａをそれぞれ１枚ずつのメッシュ状部材からなり、それら３枚のメッシュ状部材の端部同士を連結部材２５，２６，２６を介して縫い付けることにより、第２収納部２Ａを構成しているが、他の構成であってもよい。前記メッシュ状部材でなる第２蓋体２Ｂの表面（外面）側のほぼ半分に、メッシュ状部材２７の３辺を縫い付けてポケットを備えさせている。そして、メッシュ状部材２７の開口２７Ａ側端の内側面とこれに対応する第２蓋体２Ｂの表面（外面）のそれぞれに、面ファスナー２８を備えさせて、ポケットの開口２７Ａを開閉可能になっている。前記第２収納体２の底部２ａの下面（外面）の２箇所には、後述する生地４の内面の２箇所に備えさせた面ファスナーに係止する面ファスナー２９，２９が備えられており、第１収納体１に第２収納体２を収納した状態で面ファスナー２９，２９にて固定することができるようになっている。前記第２蓋体２Ｂ及び第２収納部２Ａを全てメッシュ状部材から構成することによって、水や洗浄液を通過させる点において有利であるが、例えば底部２ａ及び４つの側部２ｂ，２ｃ，２ｄ，２ｅのうちの少なくとも一つのみをメッシュ状部材から構成したり、部分的にメッシュ状部材から構成して実施することもできる。
【００２３】
前記第２収納体２を構成するメッシュ状部材は、繊維を素材としてなる網状体に合成樹脂をコーティングすることによって、網状体の剛性を高めることができるようにしているが、他の構成であってもよい。前記合成樹脂としては、ポリ塩化ビニル（ＰＶＣ）、ポリアミド（ＰＡ）、その他のポリエステル等を用いることができる。
【００２４】
前記第１収納部１Ａ及び前記第１蓋体１Ｂが、防水性を有する材料でなり、該第１収納部１Ａが、平面視略矩形状でなり、底部１ａと該底部１ａの外周縁から上方へ立ち上げられた４つの側部１ｂ，１ｃ，１ｄ，１ｅとを備えた箱型状に構成してなり、前記底部１ａが、例えばＥＶＡからなる滑り止め部材から構成されており、例えば磯等の傾斜面に第１収納部を置いたときでも、第１収納体１が海に滑り落ちることを滑り止め部材にて防止することができるだけでなく、例え第１収納体１が海に落ちたときでも、第１収納部１Ａ及び前記第１蓋体１Ｂが防水性を有する材料でなっているから、直ぐに第１収納体１が海中に沈み込むことがなく、落ちた第１収納体１を回収し易い利点もあるが、前記第１収納部１Ａ及び前記第１蓋体１Ｂを防水性を有する材料で構成しなくてもよい。
【００２５】
前記第１収納部１Ａは、図６にも示すように、ナイロンの生地４に表面にポリ塩化ビニル（ＰＶＣ）をコーティングされた表面層５を備えた内側部分と、ポリ塩化ビニル（ＰＶＣ）でなる生地６の外面（外部に露呈される表面）に型押し形成にてシボを形成した凹凸層７を備えた外側周縁部分と、前記外側部分の底部を構成するべく、生地６の下側に一部重複した状態で縫い合わされたエチレン−酢酸ビニル共重合体（ＥＶＡ）でなる底部１ａを備えた外側底部分と、ナイロンの生地４の内側部分と生地６及び底部１ａからなる外側部分との間に備えさせたポリエチレンフォーム（ＰＥフォーム）からなるクッション材８とからなっているが、第１収納部１Ａの具体的構成は、自由に変更できる。
【００２６】
前記第１蓋体１Ｂは、図１〜図３に示すように、透明な合成樹脂でなる柔軟なシート状部材９と、このシート状部材９の外面（表面）側に、該シート状部材９の長手方向半分よりも少し小さな面積を有するメッシュ状部材を備えさせてなるポケット１０とからなり、内部を透視可能になっている。又、ポケット１０を省略して実施することもできる。図１又は図２に示す１１は、第１蓋体２Ｂの外周縁に備えさせた硬質材料でなる環状の補強用線材１１であり、前記同様に、円筒状の連結部材１１Ａを介して補強用線材１１の両端を連結している。又、１２も前記第１収納部１Ａの上端の収納口１Ｋに備えさせた硬質材料でなる環状の補強用線材であり、図１において図の左右両端でＵ字状の補助用の補強用線材１３，１４を備えさせて更に第１収納体１の保形強度をアップすることができるようになっている。図２及び図３に示すように、前記ポケット１０の裏（ポケットの内面）側と前記シート状部材９外面（表面）側のそれぞれに、面ファスナー２２を備えさせてあり、ポケット１０の開口１０Ａを面ファスナー２２，２２にて開閉自在に構成しているが、他の開閉手段であってもよいし、場合によっては開閉手段は無くてもよい。
【００２７】
前記滑り止め部材が、図１及び図６に示すように、前記底部１ａから特定の側部１ｂ，１ｃの下部まで立ち上げられた延出部１ｈ，１ｈを備えており、滑り止め効果を側部１ｂ，１ｃの下部まで作用させることができ、第１収納体１の使用姿勢に左右されることなく、滑り止め作用を発揮させることができる。前記延出部１ｈ，１ｈを残りの側部１ｄ，１ｅにも備えさせて実施してもよい。前記底部１ａの外面には、それの長手方向に延びる突起部１５の多数を長手方向と直交する幅方向に所定間隔を置いて形成してあり、更に滑り止め効果を発揮することができるようになっているが、無くてもよい。
【００２８】
前述のように、第１蓋体１Ｂを透明な合成樹脂材から構成することによって、第１蓋体１Ｂを開けなくても内部を視認することができるだけでなく、第２収納体２の内部もメッシュの孔を通して視認することができ、収納物Ｓを迅速に確認することができるようになっているが、透明でない材料から構成してもよい。
【００２９】
図１に示すように、前記第１収納部１Ａを構成する４つの側部１ｂ，１ｃ，１ｄ，１ｅのうちの特定の１つの側部１ｂの上端に、前記第１蓋体１Ｂの外周縁を構成する４辺のうちの一辺を連結用生地１６にて連結して、第１蓋体１Ｂを連結用生地１６を介して揺動自在に構成し、前記第１収納部１Ａと前記第１蓋体１Ｂとの間に設けたスライドファスナー１７にて該第１収納部１Ａの収納口１Ｋを開閉自在に構成している。前記スライドファスナー１７は、一対のテープ（基布）１７Ａ，１７Ａと、それらテープ１７Ａ，１７Ａに互いに対向するように取り付けられた多数の歯からなるエレメント（務歯部）１７Ｂ，１７Ｂと、前記一対のエレメント１７Ｂ，１７Ｂを噛み合わせる、又はその噛み合いを解除操作するための２つのスライダー（開閉部材）１７Ｃ，１７Ｃと、これらスライダー１７Ｃ，１７Ｃに取り付けられた摘み部１７Ｄ，１７Ｄとからなっている。前記摘み部１７Ｄ，１７Ｄには、紐１８，１８が括り付けられており、これら紐１８，１８を掴んでスライダー１７Ｃ，１７Ｃを操作するようにしてもよいが、これら紐１８，１８を省略してもよい。
又、前記３つの第１収納部用側部１ｂ，１ｄ，１ｅに取っ手１９，２０，２１を備えてあり、どの取っ手１９又は２０又は２１を掴んでも、第１収納体１を持ち運ぶことができるようにしているが、１つの特定の第１収納部用側部又は２つの特定の第１収納部用側部又は全ての第１収納部用側部に取っ手を備えさせて実施することもできる。前記取っ手１９，２０，２１は、各側部の周方向全域に渡る長さで、かつ、周方向と直交する幅方向の約１／３の幅を有する帯状の薄板体を幅方向ほぼ中央位置に位置させた状態で各側部の周方向両端に縫い付けて備えさせてあり、第１収納部１Ａから大きく突出することがないようになっている。前記取っ手１９，２０，２１の材料としては、合成樹脂又は布あるいはその他各種の可撓性を有する材料を用いることができるが、硬質の合成樹脂や金属又は木等を用いることもできる。
【００３０】
図３〜図５に示すように、前記第２収納部２Ａを構成する４つの側部２ｂ，２ｃ，２ｄ，２ｅのうちの特定の１つの側部２ｃを他の側部よりも上方に延出させた延出部２ｆを備えさせ、その延出部２ｆの上端に、前記第２蓋体２Ｂの外周縁を構成する４辺のうちの一辺を連結して、第２蓋体２Ｂを延出部２ｆを介して揺動自在に構成し、前記第２収納部２Ａと前記第２蓋体２Ｂとの間に設けたスライドファスナー２３にて該第２収納部２Ａの収納口２Ｋを開閉自在に構成している。前記スライドファスナー２３は、一対のテープ（基布）２３Ａ，２３Ａと、それらテープ２３Ａ，２３Ａに互いに対向するように取り付けられた多数の歯からなるエレメント（務歯部）２３Ｂ，２３Ｂと、前記一対のエレメント２３Ｂ，２３Ｂを噛み合わせる、又はその噛み合いを解除操作するための２つのスライダー（開閉部材）２３Ｃ，２３Ｃと、これらスライダー２３Ｃ，２３Ｃに取り付けられた摘み部２３Ｄ，２３Ｄとからなっている。
又、前記特定の第２収納部用側部２ｃに取っ手２４を備えてあり、この取っ手２４を掴んで、第２収納体２を持ち運ぶことができるようにしているが、２つの特定の第２収納部用側部又は３つの特定の第２収納部用側部又は全ての第２収納部用側部に取っ手を備えさせて実施することもできる。前記取っ手２４は、側部２ｃの周方向全域に渡る長さで、かつ、周方向と直交する幅方向の約１／３の幅を有する帯状の薄板体を幅方向ほぼ中央位置に位置させた状態で側部２ｃの周方向両端に縫い付けて備えさせてあり、第２収納部２Ａから大きく突出することがなく、第１収納体１への収納時においても、収納スペースを小さく抑えることができるようになっている。前記取っ手２４の材料としては、合成樹脂又は布あるいはその他各種の可撓性を有する材料を用いることができるが、硬質の合成樹脂や金属又は木等を用いることもできる。
【００３１】
前記のように構成された第１収納体１に第２収納体２を収納した状態において、図３に示すように、第１収納体１の側部のうちの第１収納部用取っ手１９を備えた特定の第１収納部用側部１ｂと対向位置する反対側の第１収納部用側部１ｃに、該第２収納体２の側部のうちの第２収納部用取っ手２４を備えた特定の第２収納部用側部２ｆが位置している場合には、第１収納体１の第１蓋体１Ｂを図に示すように９０度を越える大きな角度まで大きく開放状態にしなくても、第１蓋体１Ｂの連結部１６に邪魔されることなく、第２収納体２の取っ手２４を掴んで迅速に第２収納体２を取り出したり、収納することができるようになっている。しかも、第２収納体２の収納口２Ｋを閉じるのを忘れた開放状態で第１収納体１に収納している状態で、第１収納体１の取っ手１９を一方の手で掴んで他方の手でスライドファスナー１７を開放操作して、第１収納体１の第１蓋体１Ｂを開放したときに、例え第１収納体１が第１収納体１の取っ手１９とは反対側端が下方に位置する傾斜姿勢であっても、第１収納体１の蓋体１Ｂの開放方向と第２収納体２の蓋体２Ｂの開放方向とが互いに反対方向になっているため、第１収納体１の蓋体１Ｂが例え開いたとしても、第２収納体２の収納口２Ｋから収納されている収納物Ｓが飛び出すことを防止しやすい利点がある。図では、収納物としてピトンシャフトＳを示しているが、挟み、トング、錘等の釣具を収納することができる。そして、第１収納体１から取り出した第２収納体２を収納物を収納した状態で、水や洗浄液をメッシュ状部材の多数の孔Ｈを通して内部の収納物にかけたり、水や洗浄液が入った容器の中に浸けることによって、メッシュ状の部材の多数の孔Ｈを通して第２収納体２の内部に水や洗浄液を供給して、釣具に付着した汚れや海水を落とすことができるようにしている。洗浄後は、そのまま放置しておくだけでメッシュ状の部材の多数の孔Ｈを通して余分な水や洗浄液を排出することができるだけでなく、空気を取り入れて乾燥させることができる。前記メッシュ状部材を格子状に連結したものから構成することによって、メッシュ状部材の保形強度を高めることができるが、格子状以外のものであってもよい。
【００３２】
ここでは、第１収納体１及び第２収納体２を可撓性を有する材料から構成したが、可撓性を有さない高い剛性のある材料、硬質合成樹脂や金属等で構成することもできる。
【図面の簡単な説明】
【００３３】
【図１】釣り用収納体の正面図である。
【図２】釣り用収納体の平面図である。
【図３】第１蓋体と第２蓋体とを開放状態にした斜視図である。
【図４】第２収納体の平面図である。
【図５】第２蓋体を開放状態にした第２収納体の斜視図である。
【図６】図１におけるＡ−Ａ線断面図である。
【符号の説明】
【００３４】
１…第１収納体、１Ａ…第１収納部、１Ｂ…第１蓋体、１Ｋ  収納口、１ａ…底部、１ｂ，１ｃ，１ｄ，１ｅ…側部、１ｈ，１ｈ…延出部、２…第２収納体、２Ａ…第２収納部、２Ｂ…第２蓋体、２Ｋ…収納口、２ａ…底部、２ｂ，２ｃ，２ｄ，２ｅ…側部、２ｆ…延出部、３…補強用線材、３Ａ…連結部材、４…生地、５…表面層、６…生地、７…凹凸層、８…クッション材、９…シート状部材、１０…ポケット、１０Ａ…開口、１１…補強用線材、１１Ａ…連結部材、１３，１４…補強用線材、１５…突起部、１６…連結用生地（連結部）、１７…スライドファスナー、１７Ａ…テープ、１７Ｂ…エレメント、１７Ｃ…スライダー、１７Ｄ…摘み部、１８…紐、１９，２０，２１…取っ手、２２…面ファスナー、２３…スライドファスナー、２３Ａ…テープ、２３Ｂ…エレメント、２３Ｃ…スライダー、２３Ｄ…摘み部、２４…取っ手、２５，２６，…連結部材、２７…メッシュ状部材、２７Ａ…開口、２８，２９…面ファスナー、Ｈ…孔、Ｓ…ピトンシャフト（収納物）
【図１】
2008173073.tif 000003
【図２】
2008173073.tif 000004
【図３】
2008173073.tif 000005
【図４】
2008173073.tif 000006
【図５】
2008173073.tif 000007
【図６】
2008173073.tif 000008